(57)【要約】      （修正有）【課題】モバイル機器の電力不足時にソーラーパネルを用いてモバイル機器へ直接に電力を供給することで、モバイル機器の即時利用及び充電を可能とする。【解決手段】スイッチ３により電圧レベルを変化させることが出来、アダプターを利用目的のモバイル製品に合わせてセットし、本体１を太陽光に当てることで、直接モバイル製品への電力供給が行え、利用及び充電が可能であり、緊急時の電源として役立つ。【選択図】図１
0003132930.tif 000002
【実用新案登録請求の範囲】
【請求項１】
ソーラーパネルを搭載し、太陽光に当てたソーラーパネルより発電された電力を、携帯可能な低消費電力のモバイル機器に対して、直接電力供給を行えるようにすることで、モバイル機器の即時使用及び充電を行うことが可能なソーラーパネル式モバイル充電器。
【請求項２】
ソーラーパネル式モバイル充電器自身にバッテリー等の蓄電装置を搭載せず、内部蓄電装置を搭載した製品での内部蓄電装置への長時間の充電時間中の待ち時間が存在せず、即時対象となるモバイル機器へ直接電力を供給することを特徴としたソーラーパネル式モバイル充電器。
【請求項３】
ソーラーパネル式モバイル充電器本体に蓄電装置を搭載しないことで、蓄電装置の再充電回数寿命である製品寿命を考慮する必要がなく、携帯可能なモバイル機器への充電を可能としたことを特徴としたソーラーパネル式モバイル充電器。
【請求項４】
スイッチにより利用するモバイル製品に対応した電圧を選択し、適した電圧での電力供給を可能としたことを特徴としたソーラーパネル式モバイル充電器。
【請求項５】
ソーラーパネル式モバイル充電器自身に蓄電装置を搭載していないことにより、薄くて軽量化可能であり、常に持ち運びが可能であることを特徴としたソーラーパネル式モバイル充電器。
【請求項６】
緊急時において、電力を得ることが出来ない状況下においても、太陽にソーラーパネルを当てることにより、即時モバイル機器への電力供給が開始され、モバイル機器を使用可能にすることが出来ることを特徴としたソーラーパネル式モバイル充電器。
【請求項７】
出力端子部分をプラス極、マイナス極の電力を２極出す形状をしており、先端部分に対して各種モバイル製品に対応したプラグやインターフェースを選択し、電極の極性を各種モバイル機器にあわせてセットすることで、対応機種を幅広く利用することが可能であることを特徴としたソーラーパネル式モバイル充電器。
【考案の詳細な説明】
【技術分野】
【０００１】  本考案は、ソーラーパネル部分を太陽光に当てることにより、直接モバイル機器に対して電力を供給することで、即時モバイル機器の利用を可能とする、或いは充電することを可能としたソーラーパネル式モバイル充電器に関するものである。
【背景技術】
【０００２】  ソーラーパネル式充電器の殆どは、充電器内部に蓄電用にバッテリー等の蓄電装置を内蔵し、その内部蓄電装置に蓄えられた電力を後から利用目的のモバイル機器への充電に利用していた。
【考案の開示】
【考案が解決しようとする課題】
【０００３】  一般的なソーラーパネル式充電器は、ソーラーパネルから発電される微弱な電力を長時間かけて内部に搭載した内部蓄電装置に一端電力を蓄えておき、後から対象とするモバイル製品へ充電を行う方式をとっている。しかし、充電器内部の蓄電装置がある程度充電されない限り内部電力を利用することが出来ない上、利用できるまでには長時間の露光を要する。また再充電回数が蓄電装置の寿命に依存し、使い続けることに制限が生じる。また、緊急時等にモバイル機器の電力が不足し動作不可能の状態の際、蓄電方式のソーラーパネル式充電器では、太陽光にソーラーパネルを当てていても即時モバイル機器を動作させることが出来ない。そこで、ソーラーパネルの電圧をスイッチにより対象モバイル製品に対応した電圧に設定を行い、直接電力を供給することで、太陽光直下において即時モバイル機器製品の利用或いは充電を可能とさせることで、内部蓄電装置への長時間の充電時間を待たなければならない欠点を解決しようとするものである。また、蓄電装置の再充電回数における製品寿命問題の欠点も解決しようとするものである。
【課題を解決するための手段】
【０００４】  本考案は、高出力のソーラーパネルセルの複数直列接続により、各セルから出力される電圧レベルの違いをスイッチにより選択可能とし、電極方向も先端部のセット方向を変えることで極性を反転できるため、一部のモバイル機器のみに限定されている問題点を解決している。内部にバッテリー等の蓄電装置を内蔵する代わりに大容量コンデンサー等の一時蓄電素子を出力部に搭載した構造をとっているため、ソーラーパネルによる発電電力の揺らぎの変動を最小限に抑えることが出来、一般的なソーラーパネル式携帯充電器等のように充電に長時間の露光を要する必要がない。また、大容量一時蓄電素子を出力部に搭載することにより、ソーラーパネルでの瞬間的な発電停止状態時においても、大容量一時蓄電素子に蓄えられた電力を送出させることで、モバイル機器側の充電保護回路の充電停止動作を防ぎ、充電状態を持続することを可能としている。また、発電電力をモバイル機器に直接充電している為、充電を行いつつも、モバイル機器自身の利用を可能とし、太陽光直下における即時充電及びモバイル機器利用が出来なかった問題点を解決している。
【考案の効果】
【０００５】  上述の様に、本考案のソーラーパネル式モバイル充電器を利用することにより、内蔵蓄電装置の充電状態を考慮することなく、太陽光に直接当てることで即モバイル機器への電力供給が可能となる。また、本考案のソーラーパネル式モバイル充電器には内蔵蓄電装置を搭載していないため、内蔵蓄電装置の再充電回数の寿命の概念がなく、いつまでも使うことが可能であり、重量も軽量化され、モバイル機器製品と共に持ち運びが可能となる。また、電圧及び電極を切り替えることにより、各種モバイル機器への緊急用電源としても利用可能である。
【考案を実施するための最良の形態】
【０００６】  本考案のソーラーパネル式モバイル充電器の電圧を５Ｖ前後に設定を行い、電力出力端子としてＵＳＢメス型アダプターをセットする。携帯電話のバッテリーが不足してきた際、本考案のソーラーパネル式モバイル充電器の先端にセットしたＵＳＢメス型アダプターに対し、電気店等で販売されているＵＳＢタイプの携帯充電ケーブルを接続し、ソーラーパネルを太陽光に向ける。ソーラーパネルで発電された電力は、出力部に搭載された大容量のコンデンサー、あるいは電気二重層コンデンサーなどの一時的な大容量蓄電素子に一時的に充電が行われた後、携帯電話への電力送出が開始され、携帯電話の充電が開始される。太陽光により直接充電を行っているため、充電をしつつも通常のように通話も可能となる。また、偶然にソーラーパネルの前を人が歩いた場合等、電力供給が瞬断的にストップした場合においても、大容量蓄電素子がソーラーパネルの代わりに電力の送出を行うため、携帯電話機から見た場合は、常に電力が供給され続けている様に見え、充電状態を持続することが出来る。また、バック等に入れて持ち運ぶことが可能であるため、緊急用の携帯充電器として、また太陽エネルギーによる充電器である為、コンセントの無い場所又はコンビニエンスストア等で乾電池を購入できない状況下においても携帯電話の充電が可能である。
【実施例】
【０００７】  以下、添付図面に従って太陽光直下における携帯電話の充電を行う場合の一実施例を説明する。１は本考案のソーラーパネル式モバイル充電器本体であり、２はソーラーパネルセルである。３は電圧レベルを選択できるスライド式スイッチであり、携帯電話でよく使われている５Ｖ前後の電圧になるようにスイッチにて電圧を選択する。【０００８】  ８は本考案のソーラーパネル式モバイル充電器の電力を取り出す為、パソコンで普及しているＵＳＢのＵＳＢメス型コネクターに変換するアダプターである。５の出力端子に記述されている電極６の極性を確認し、ＵＳＢメス型アダプター８の電極挿入口に電極６を挿入する。【０００９】  ＵＳＢメス型アダプター８のＵＳＢインターフェースの先には、電気店に販売されている各社に対応したＵＳＢタイプの携帯充電器ケーブルを挿入し、反対側の携帯毎に特化したコネクターを携帯電話にセットする。【００１０】  ソーラーパネル式モバイル充電器１を太陽光直下に当てることにより、４の大容量コンデンサー或いは電気二重層コンデンサーにしばらく電力が充電された後、電極６、ＵＳＢメス型アダプター８を経由して、市販のＵＳＢタイプの携帯充電器ケーブルを通して各社の携帯電話の充電が開始される。
【図面の簡単な説明】
【００１１】
【図１】本考案のソーラーパネル式モバイル充電器の一実施例を示す正面図である。
【図２】各種のインタフェース変換アダプタの一実施例の正面図である。
【符号の説明】
【００１２】１  ソーラーパネル式モバイル充電器本体
２  ソーラーパネルセル
３  電圧レベル選択スライド式スイッチ
４  大容量コンデンサー或いは電気二重層コンデンサー
５  出力コネクター
６  出力電極
７  ピン型アダプター
８  ＵＳＢメス型アダプター
【図１】
0003132930.tif 000003
【図２】
0003132930.tif 000004
【手続補正書】
【提出日】平成19年3月8日(2007.3.8)
【手続補正１】
【補正対象書類名】実用新案登録請求の範囲
【補正対象項目名】全文
【補正方法】変更
【補正の内容】
【実用新案登録請求の範囲】
【請求項１】
ソーラーパネル（２）からの直流電力を供給する供給手段（５）を有し、当該供給手段（５）から出力された直流電力を変換手段（１０）を介してモバイル機器（１３）へ供給してなるソーラーパネル式モバイル充電器であって、前記供給手段（５）は、前記ソーラーパネル（２）からの直流電力を選択的に切り換えてなる選択スイッチ（３）を備えてなることを特徴とするソーラーパネル式モバイル充電器。
【請求項２】
ソーラーパネル（２）からの直流電力を供給する供給手段（５）を有し、当該供給手段（５）から出力された直流電力を変換手段（１０）を介してモバイル機器（１３）へ供給してなるソーラーパネル式モバイル充電器であって、前記供給手段（５）は、前記ソーラーパネル（２）からの直流電力を選択的に切り換えてなる選択スイッチ（３）と、当該選択スイッチ（３）により選択された直流電力を蓄えてなる蓄電手段（４）を備えてなることを特徴とするソーラーパネル式モバイル充電器。
【請求項３】
前記選択スイッチ（３）は、前記ソーラーパネル（２）からの直流電力を直列に接続するように選択してなることを特徴とする請求項１または２に記載のソーラーパネル式モバイル充電器。
【請求項４】
前記変換手段（１０）は、前記モバイル機器（１３）の電源入力形式に合わせて選択してなることを特徴とする請求項１から３のいずれかに記載のソーラーパネル式モバイル充電器。
【手続補正２】
【補正対象書類名】明細書
【補正対象項目名】全文
【補正方法】変更
【補正の内容】
【考案の詳細な説明】
【技術分野】
【０００１】  本考案は、ソーラーパネルの直流電力を、モバイル機器に対して電力供給することで、モバイル機器の駆動及び充電を可能とするソーラーパネル式モバイル充電器に関するものである。
【背景技術】
【０００２】  一般的な携帯用のモバイル機器においては、内部に電源としてバッテリーを搭載し、バッテリーに充電された直流電源を利用している製品が多く、そのバッテリーへの充電を行うための外部電源からの電源供給を外部から受けるためのモバイル機器の電源入力コネクタ（外部電源端子）が設けられている。当然のことながらバッテリーが不足してきた場合、外部電源端子を介してモバイル機器内部のバッテリーへ電源を供給するための電源装置として、いわゆるＡＣアダプタ或いは電池等が必要となっている。
【考案の開示】
【考案が解決しようとする課題】
【０００３】  しかし、ＡＣアダプタでは、商用電源から電力が供給されるので、携帯用のモバイル機器を商用電源が利用できない場所に持ち出している状況下においてバッテリー不足になった場合には、当然のことながら電源の供給が行えないという問題がある。また、電池においても入手出来ない状況下では、当然のことながら電源の供給が行えないという問題がある。【０００４】  本考案は、携帯用のモバイル機器のバッテリー不足の状況下において、ソーラーパネルにより電源を供給することが可能であり、携帯可能なソーラーパネル式モバイル充電器を提供することを目的とする。
【課題を解決するための手段】
【０００５】  本考案であるソーラーパネル式モバイル充電器は、ソーラーパネル（２）からの直流電力を供給する供給手段（５）を有し、当該供給手段（５）から出力された直流電力を変換手段（１０）を介してモバイル機器（１３）へ供給を行い、前記供給手段（５）は、前記ソーラーパネル（２）からの直流電力を選択的に切り換えてなる選択スイッチ（３）と、当該選択スイッチ（３）により選択された直流電力を蓄えてなる蓄電手段（４）を有することで、前記モバイル機器（１３）への直流電力の供給を可能となるように構成している。【０００６】  本考案であるソーラーパネル式モバイル充電器は、前記選択スイッチ（３）により、前記ソーラーパネル（２）からの直流電力を直列に接続するように選択してなるように構成することで、所望の直流電力を前記モバイル機器（１３）に供給可能となるよう構成している。【０００７】  本考案であるソーラーパネル式モバイル充電器の前記変換手段（１０）は、前記モバイル機器（１３）の電源入力形式に合う形状を有することにより、所望の直流電力を前記モバイル機器（１３）に供給可能となるよう構成している。
【考案の効果】
【０００８】  本考案のソーラーパネル式モバイル充電器により、携帯用のモバイル機器のバッテリー不足の状況下において、太陽光に当てることにより電源の供給を図ることが出来る。
【考案を実施するための最良の形態】
【０００９】  ソーラーパネル（２）からの直流電力を供給する供給手段（５）を有し、当該供給手段（５）から出力された直流電力を、モバイル機器（１３）の電源入力形式に合わせた形状を有する変換手段（１０）を介し、前記モバイル機器（１３）に対して電力供給を行う。また、前記ソーラーパネル（２）の直流電力を選択的に切り替えてなる選択スイッチ（３）を備えてなることにより、所望の電圧の直流電力を前記モバイル機器（１３）に供給可能としている。
【実施例】
【００１０】  以下、本考案の詳細を具体的実施例に基づき説明する。図１はソーラーパネル式モバイル充電器の概観図、図２には、本考案に係わる全体回路図例を示している。なお両図における同一構成は同一符号で標記している。【００１１】  図１は、ソーラーパネル式モバイル充電器の概観図であり、ソーラーパネル（２）から出力された直流電力を供給するための供給手段（５）を有し、当該供給手段（５）から出力された直流電力を変換手段（１０）を介してモバイル機器（１３）へ供給してなるソーラーパネル式モバイル充電器を示しており、前記供給手段（５）は、前記ソーラーパネル（２）の直流電力を選択的に切り換えてなる選択スイッチ（３）を備えてなることにより、所望の直流電力を前記モバイル機器（１３）に供給可能としている。なお図１には前記変換手段（１０）は図示しておらず、図３にて前記変換手段（１０）であるモバイル機器の電源入力形式を変換するアダプタの概念図を示している。【００１２】  図２は、供給手段（５）について、電気的な接続を示した回路図を示している。ソーラーパネル（２）から出力された一方の端子を選択スイッチ（３）の端子（ａ）に接続し、他方の端子を前記選択スイッチ（３）の端子（ｂ）に接続する。同様に、他の前記ソーラーパネル（２）の一方の端子を前記選択スイッチ（３）の端子（ｂ）に接続し、他方の端子を前記選択スイッチ（３）の端子（ｃ）に接続する（以下省略）。このように、前記選択スイッチ（３）の選択に応じて、直列に接続する前記ソーラーパネル（２）を選択可能にしたことにより、所望の直流電力を供給可能な構成としている。【００１３】  次に、ソーラーパネル（２）から出力された直流電力を供給するための供給手段（５）を有し、当該供給手段（５）から出力された直流電力を変換手段（１０）を介してモバイル機器（１３）へ供給してなるソーラーパネル式モバイル充電器において、直流電力を選択的に切り換えてなる選択スイッチ（３）により選択された直流電力の出力先に蓄えてなる蓄電手段（４）を接続することにより、直流電力を一時的に前記蓄電手段（４）に蓄える構成としている。【００１４】  前記供給手段（５）は、前記選択スイッチ（３）の共通端子（ＣＯ）の先には逆流防止用ダイオード（７）の一方の端子であるアノード側の端子に電気的に接続されており、当該逆流防止用ダイオード（７）の他方の端子であるカソード側の端子の出力先には前記蓄電手段（４）の一方の端子に接続されており、前記選択スイッチ（３）により選択された直流電力が前記共通端子（ＣＯ）、前記逆流防止用ダイオード（７）を介して前記蓄電手段（４）を接続することにより、直流電力を一時的に前記蓄電手段（４）に蓄えることが可能である。【００１５】  次にモバイル機器（１３）に供給する直流電力について説明する。図１、図２に示されている選択スイッチ（３）に示した（ａ）〜（ｄ）は、各直流電力の電圧を選択するために示してある。すなわち、（ａ）を選択した場合に６Ｖの直流電力を供給可能に構成している。それぞれ（ａ）＝６Ｖ、（ｂ）＝５Ｖ、（ｃ）＝４Ｖ、（ｄ）＝３Ｖの電圧が得られるとした場合について具体的に説明する。例えば前記選択スイッチ（３）にて（ｂ）を選択すると、前記モバイル機器（１３）への電源出力のためのコネクタ（６）の端子の電圧は５Ｖの電圧の直流電力が出力可能となる。よって変換手段（１０）より５Ｖの直流電力が供給可能となる。図で示した様に、前記選択スイッチ（３）は（ｄ）、（ｃ）、（ｂ）、（ａ）の順で選択を行うことにより、ソーラーパネル（２）の直列接続数も増加していき、電圧の高い直流電力を選択出来る構成としている。なお、前記ソーラーパネル（２）として、実用的な動作点における出力電圧（動作電圧）が前記モバイル機器（１３）の定格電圧よりも若干高いものが選定されている。例えば、前記モバイル機器（１３）の定格電圧が５Ｖであり、逆流防止用ダイオード（７）の順方向電圧が０．７Ｖである場合に、前記選択スイッチ（３）にて５Ｖを選択した場合、実際には６Ｖ程度になる前記ソーラーパネル（２）が選定される。【００１６】  次にモバイル機器（１３）への直流電力の供給の形式について説明する。ソーラーパネル（２）からの直流電力を変換手段（１０）を介して前記モバイル機器（１３）に直流電力を供給する場合、前記モバイル機器（１３）の定格電圧に適応した電圧を選択スイッチ（３）にて選択を行った後、前記モバイル機器（１３）へ直流電力の供給を行う。ここで、前記モバイル機器（１３）には様々な電源入力の形式が存在するため、前記変換手段（１０）に様々な電源入力形式に合わせた形状のものを用意することが要請されている。よって、前記モバイル機器（１３）に対応した電源入力形式に合う形状の前記変換手段（１０）を構成することにより対応することを特徴としている。【００１７】  前記モバイル機器（１３）と接続を行っているコネクタである前記変換手段（１０）の変換手段出力コネクタ（１１）と反対側に位置する変換手段入力コネクタ（９）は、コネクタ（６）と接続可能な形状を有し電気的に接続することにより、様々な電源入力形式の前記モバイル機器（１３）への直流電力の供給を可能としている。よって、前記供給手段（５）、本体から外部出力用コネクタまでを接続するケーブル（８）、前記コネクタ（６）、前記変換手段（１０）を介して前記モバイル機器（１３）への直流電力の供給が可能となる。【００１８】  例えば、前記モバイル機器（１３）の電源入力形式が一般的なＤＣプラグではなく、前記モバイル機器（１３）に特化した電源入力形式であって、前記モバイル機器（１３）に特化したＵＳＢタイプの充電用ケーブルが付属されている場合、前記コネクタ（６）をＵＳＢ雌型アダプタの形状を有した前記変換手段（１０）の前記変換手段入力コネクタ（９）に接続する。ＵＳＢ雌型コネクタには前記モバイル機器（１３）に特化した専用の充電用ケーブルのＵＳＢ雄型コネクタ側を挿入し、他方である前記モバイル機器（１３）に特化した電源入力形式のコネクタである前記モバイル機器（１３）の電源入力コネクタ（１２）に接続する。【００１９】  接続が完了後、本考案のソーラーパネル式モバイル充電器（１）を太陽光に当てる。前記供給手段（５）により５Ｖ付近の電圧の直流電力が一端蓄電手段（４）に蓄積された後、前記本体から外部出力用コネクタまでを接続するケーブル（８）、前記コネクタ（６）、前記変換手段（１���）、及び前記モバイル機器（１３）に特化したＵＳＢタイプの充電用ケーブルを介して、前記モバイル機器（１３）に対して直流電力の供給が行われる。【００２０】  最後に、上記の実施例によると、ＡＣアダプタ或いは電池等が利用できない状況下においても、太陽光にてモバイル機器への電力供給が行えるため、商用電源の節電を図ることも出来る上、緊急用の電源として利用を図ることも出来る。
【図面の簡単な説明】
【００２１】
【図１】ソーラーパネル式モバイル充電器の一実施例を示す概念図である。
【図２】本考案に関わる全体回路図例である。
【図３】モバイル機器の電源入力形式を変換するアダプタの概念図である。
【符号の説明】
【００２２】  １          ソーラーパネル式モバイル充電器
２          ソーラーパネル
３          選択スイッチ
４          蓄電手段（スーパーキャパシター）
５          供給手段
６          コネクタ
７          逆流防止用ダイオード
８          本体から外部出力用コネクタまでを接続するケーブル
９          変換手段入力コネクタ
１０        変換手段
１１        変換手段出力コネクタ
１２        モバイル機器の電源入力コネクタ（外部電源端子）
１３        モバイル機器
ＣＯ        共通端子
【手続補正３】
【補正対象書類名】図面
【補正対象項目名】全図
【補正方法】変更
【補正の内容】
【図１】
0003132930.tif 000005
【図２】
0003132930.tif 000006
【図３】
0003132930.tif 000007